(57)【要約】【課題】居住空間の所望の位置に設けることができ、簡単な構成で、本格的な吹き抜けと同等の納まりを実現できる吹き抜け床構造を提供する。【解決手段】住宅建物１の吹き抜け部１０において、二階１２の床を支持する梁２０を吹き抜け部に露出させ、表面に化粧をしたあらわし梁２とし、このあらわし梁２上に、吹き抜け部１０を閉塞および開口可能とする床材３が設けられてなる吹き抜け床構造。床材３は、折り畳み可能に構成され、折り畳んだ状態で、吹き抜け部２０周辺の腰壁３ａの一部を構成する。あらわし梁２の天面２ａにガイドが設けられ、このガイド上を床材３が滑動可能となされた吹き抜け床構造。【選択図】  図１
2004353227.tif 000002
【特許請求の範囲】
【請求項１】
住宅建物の吹き抜け部において、上層階の床を支持する梁を吹き抜け部に露出させ、表面に化粧をしたあらわし梁とし、このあらわし梁上に、吹き抜け部を閉塞および開口可能とする床材が設けられてなることを特徴とする吹き抜け床構造。
【請求項２】
床材は、折り畳み可能に構成され、折り畳んだ状態で、吹き抜け部周辺の腰壁の一部を構成するようになされた請求項１記載の吹き抜け床構造。
【請求項３】
あらわし梁の天面にガイドが設けられ、このガイド上を床材が滑動可能となされた請求項２記載の吹き抜け床構造。
【発明の詳細な説明】
【０００１】
【産業上の利用分野】
本発明は、住宅建物の吹き抜け部において、吹き抜け部を開口および閉塞可能とする床構造に関するものである。
【０００２】
【従来の技術】
一般に、住宅建物における吹き抜け部を床として利用する場合は、リフォームを行い、既存の構造体に床を支える新しい構造部材を接続し、その上で床下地や床仕上、階下の天井を施工している。
【０００３】
このように吹き抜け部を床として利用する場合は、構造体に影響するため大規模な改修が必要であり、再び吹き抜けとして利用したい場合も改修を伴う。そのため手間と費用と時間がかかってしまう。
【０００４】
そこで、従来より、住宅建物における吹き抜け部を塞いで床として利用することができるようにするものとして、例えば特許文献１に示すようなものが提案されている。
【０００５】
すなわち、この床構造は、吹き抜け部と、この吹き抜け部に隣接する固定床の下と間を連続するように、梁を構成するＣチャンネル材の内側にガイドを設け、このガイドに沿って、コロを設けた開閉床をスライド移動させることで、吹き抜け部を開閉することができるようになされている。
【０００６】
【特許文献１】特開平６−５７８２７号公報
【０００７】
【発明が解決しようとする課題】
しかし、上記従来の床構造の場合、開閉床を収納するために、開閉床に隣接してこの開閉床と略同じ大きさの固定床の面積を確保しなければならないため、開閉床によって開口される吹き抜けの位置や大きさが制限されることとなる。しかも、住宅建物の躯体を構成する梁や柱は、開閉床のスライド移動に邪魔にならないようにしなければならないといった不都合を生じることとなる。
【０００８】
また、対向する梁の内側に設けたガイドに、コロを介して開閉床をスライド移動させるように構成しているので、吹き抜けを形成した状態では、梁の内側に設けたガイドが居住空間に露出し、綺麗に納めることができない。したがって、このようにして形成された吹き抜けは、本格的に構成された吹き抜けと比較すれば明らかに見劣りすることとなってしまう。
【０００９】
本発明は、係る実情に鑑みてなされたものであって、居住空間の所望の位置に設けることができ、簡単な構成で、しかも本格的な吹き抜けと同等の納まりを実現することができる吹き抜け床構造を提供することを目的としている。
【００１０】
【課題を解決するための手段】
上記課題を解決するための本発明の吹き抜け床構造は、住宅建物の吹き抜け部において、上層階の床を支持する梁を吹き抜け部に露出させ、表面に化粧をしたあらわし梁とし、このあらわし梁上に、吹き抜け部を閉塞および開口可能とする床材が設けられてなるものである。
【００１１】
また、この吹き抜け床構造において、床材は、折り畳み可能に構成され、折り畳んだ状態で、吹き抜け部周辺の腰壁の一部を構成するようになされたものである。さらに、この吹き抜け床構造において、あらわし梁の天面にガイドが設けられ、このガイド上を床材が滑動可能となされたものである。
【００１２】
【発明の実施の形態】
以下、本発明の実施の形態を図面を参照して説明する。
【００１３】
図１は吹き抜け床構造の全体構成の概略を示し、図２は同吹き抜け床構造を利用した住宅建物１の間取りを示している。図２において、一階１１には、玄関１１ａ、玄関室１１ｂ、トイレ１１ｃ、階段１１ｄ、納戸１１ｅ、キッチン１１ｆ、ダイニング１１ｇ、リビング１１ｈ、和室１１ｉがそれぞれ設けられている。二階１２には、階段１２ａ、廊下１２ｂ、ウォークインクローゼット１２ｃ、主寝室１２ｄ、洗面所１２ｅ、浴室１２ｆ、トイレ１２ｇ、子供部屋１２ｈ、ベランダ１２ｉがそれぞれ設けられている。一階１１のリビング１１ｈの上方であって、二階１２の廊下１２ｃと主寝室１２ｄと子供部屋１２ｈとベランダ１２ｉとで取り囲まれた空間に吹き抜け部１０が設けられている。
【００１４】
この吹き抜け床構造は、住宅建物１の吹き抜け部１０において、あらわし梁２を露出させ、このあらわし梁２の上に、吹き抜け部１０を閉塞および開口可能とする床材３を設けるようになされている。
【００１５】
あらわし梁２は、二階１２の床面を支持する梁２０の一部が吹き抜け部１０に露出するようになされたものであって、本実施の形態では、吹き抜け部１０の両側とその間に二本の合計四本が平行して設けられている。このあらわし梁２は、吹き抜け部１０にそのまま露出しても良いように、化粧が施されている。この化粧としては、梁２０の表面に塗料やニスなどを塗装するだけのものであってもよいし、梁２０の表面に化粧材を貼設して構成したものであってもよい。このあらわし梁２の天面２ａには、長手方向に沿って床材３のガイドが設けられる。このガイドは、単にあらわし梁２の天面２ａの長手方向に沿って溝を設けただけのものであってもよいし、あらわし梁２の天面２ａに摩擦抵抗を低減させる化粧材や塗料を設けたりしたものであってもよい。
【００１６】
床材３は、図３に示すように、矩形に枠組みされた枠材３１の上面に床下地材３２、床仕上げ材３３を設け、枠材３１の下面に天井化粧材３４を設け、枠材３１の間隙に断熱材３５を設けて構成されている。この床材３は、短辺同士をピン接合３６して二枚が折り畳み可能な長板状となるように連結されている。
【００１７】
このように連結された二枚の床材３は、平行する四本のあらわし梁２の各間隙の三カ所に設けられ、隣接するあらわし梁２の間をまたいで、これらあらわし梁２の上に載置される。この際、あらわし梁２と接することとなる床材３の下面の両側部分には、連結した床材３をあらわし梁２上で滑動させて床材３を容易にスライド移動させることができるように、摩擦抵抗を低減させる滑動材（図示省略）を設けることが好ましい。この滑動材としては、ローラーや低摩擦抵抗の樹脂板などを用いることがてきる。これらのローラーや樹脂板は、前記あらわし梁２の天面２ａにガイドとして溝を設けた場合、この溝内を滑動するようにしたものが用いられる。ただし、このようにあらわし梁２上で床材３をスライド移動させることは、頻繁に行うものでもないので、あらわし梁２の天面２ａに摩擦抵抗を低減させる化粧材や塗料を設けただけにして、このあらわし梁２に当接されることとなる床材３の両側部分は、余程滑りが悪くならない限り、滑動材を設けないようにしてもよい。
【００１８】
この床材３は、あらわし梁２の上全体に載置されることで、吹き抜け部１０を閉塞して二階１２に居室１２ｊを構成することができるようになされている。また、それぞれの連結された二枚の床材３は、あらわし梁２の上をスライド移動させながらピン接合した部分で折り畳んで吹き抜け部１０の二階１２の廊下１２ｃ側に引き寄せることで、一階１１のリビング１１ｈから二階１２への吹き抜け部１０を開口させ、床材３による腰壁３ａを、吹き抜け部１０の二階１２の廊下１２ｃに形成することができるようになされている。この腰壁３ａの上端部は、断面コ字状に形成された笠木３０を被せて仕上げられる。
【００１９】
この際、腰壁３ａの固定は、例えば、吹き抜け部１０の二階１２の廊下１２ｃ側に床材３を回動可能にあらかじめ固定しておいてもよいし、床材３を吹き抜け部１０の二階１２の廊下１２ｃ側に引き寄せて腰壁３ａを形成した後、固定金具（図示省略）などによって別途固定するものであってもよい。
【００２０】
また、本実施の形態において、床材３は、二つ折りに折り畳んで腰壁３ａを構成するようになされているが、図４に示すように、三つ折り以上に折り畳むようになされたものであってもよい。また、同図に示すように、笠木３０の代わりに、ローボード４の台輪４１の部分を被せるようにしたものであってもよい。この場合、ローボード４は、床材３で吹き抜け部１０を閉塞してこの吹き抜け部１０に居室１２ｊを構成した際に、その居室１２ｊで使用することができる。
【００２１】
また、本実施の形態において、床材３は、吹き抜け部１０を閉塞するか開放するかによって吹き抜け部１０かか、居室１２ｊかの何れかを構成するようになされているが、図５に示すように、一部を吹き抜け部１０とし、一部を居室１２ｊとすることができるように、一部の床材３のみを折り畳むようになされたものであってもよい。
【００２２】
この吹き抜け床構造によると、例えば長期スパンでは、子供の誕生で居住スペースが狭くなった時に吹き抜け部１０に居室１２ｊを形成し、子離れした後はまた吹き抜け部１０に戻すといったことが簡易に可能となる。また、短期スパンでは、春秋の快適な時期には吹き抜け部１０のおおらかな空間を愉しみ、夏冬の冷暖房効率を必要とする時期には吹き抜け部１０を容易に閉じるなど、季節の変化に応じて空間を可変することができる。
【００２３】
しかも、このような空間の構成は、あらかじめ吹き抜け部１０に露出するように設けたあらわし梁２の上に床材を設けたり取り除いたりするだけなので、綺麗な納まりで簡単に変更することができる。
【００２４】
また、吹き抜け部１０は、この吹き抜け部１０に露出する梁２０の表面に化粧を施してあらわし梁２としているので、梁２０の位置を避けて吹き抜け部１０を設ける位置を決める必要も無く、所望の位置に吹き抜け部１０を構成することができる。
【００２５】
【発明の効果】
以上述べたように、本発明によると、あらわし梁上に床材を設けて吹き抜け部を閉塞して居住空間を構成したり、床材を取り除いて開口した吹き抜け部に構成したりすることができる。しかも、あらわし梁は、上層階の床を支持する梁の表面に化粧をして吹き抜け部に露出させるので、梁の位置に関係無く、居住空間の所望の位置に、この吹き抜け床構造を構成することができる。
【００２６】
また、床材は、あらわし梁の上に設けるようになされた簡単な構成で、しかも充分な施工強度を確保することができる。
【００２７】
さらに、床材を取り除いた状態では、表面に化粧をしたあらわし梁以外は、吹き抜け部に露出するものがないので、本格的に施工した通常の吹き抜けと同等の納まりに仕上げることができる。
【図面の簡単な説明】
【図１】本発明に係る吹き抜け床構造の全体構成の概略を示す斜視図である。
【図２】（ａ）は図１の吹き抜け床構造を利用した住宅建物の一階部分の間取りを示す平面図、（ｂ）は同二階部分の吹き抜け部を閉塞した状態の間取りを示す平面図、（ｃ）は同二階部分の吹き抜け部を開放した状態の間取りを示す平面図である。
【図３】本発明に係る吹き抜け床構造に使用される床材の一例を示す断面図である。
【図４】（ａ）および（ｂ）は本発明に係る吹き抜け床構造の他の実施の形態を示す断面図である。
【図５】（ａ）ないし（ｃ）は本発明に係る吹き抜け床構造の他の実施の形態を示す断面図である。
【符号の説明】
１  住宅建物
１０  吹き抜け部
２  あらわし梁
２ａ  ガイド
３  床材
３ａ  腰壁
【図１】
2004353227.tif 000003
【図２】
2004353227.tif 000004
【図３】
2004353227.tif 000005
【図４】
2004353227.tif 000006
【図５】
2004353227.tif 000007